(57)【特許請求の範囲】
【請求項１】
互いに隣接した第１及び第２表示パネルと、
第１光を放出する第１光源、及び前記第１光を反射する第１反射シートを含む第１バックライトアセンブリと、
第２光を放出する第２光源、及び前記第２光を反射し、前記第１反射シートと異なる物質を含む第２反射シートを含む第２バックライトアセンブリとを含み、
前記第１反射シートは、前記第１光が前記第１反射シートから反射した第３光を前記第１表示パネルに反射し、
前記第２反射シートは、前記第２光が前記第２反射シートから反射した第４光を前記第２表示パネルに反射し、
前記第１光の一波長帯域に対する前記第１反射シートの反射率は前記第２光の前記一波長帯域に対する前記第２反射シートの反射率とは異なり、前記一波長帯域を除いた残りの波長帯域において、前記第１反射シートの反射率と前記第２反射シートの反射率は同一であり、前記第３光と前記第４光は同一の色座標領域を有することを特徴とする表示装置。
【請求項２】
前記第１光と前記第２光は異なる色座標領域を有することを特徴とする請求項１に記載の表示装置。
【請求項３】
前記第１表示パネルは、第１薄膜トランジスタ基板と、前記第１薄膜トランジスタ基板上の第１カラーフィルタ基板とを含み、
前記第２表示パネルは、第２薄膜トランジスタ基板と、前記第２薄膜トランジスタ基板上の第２カラーフィルタ基板とを含み、
前記第１及び第２カラーフィルタ基板は互いに同一の物質のカラーフィルタを含むことを特徴とする請求項１に記載の表示装置。
【請求項４】
前記第１光の色座標領域及び前記第３光の色座標領域は互いに異なり、
前記第２光の色座標領域及び前記第４光の色座標領域は互いに異なることを特徴とする請求項１に記載の表示装置。
【請求項５】
前記第１光の色座標領域及び前記第３光の色座標領域は互いに同一であり、
前記第２光の色座標領域及び前記第４光の色座標領域は互いに異なることを特徴とする請求項１に記載の表示装置。
【請求項６】
前記第１及び第２表示パネルと隣接した第３表示パネルと、
第５光を放出する第３光源及び前記第５光を反射する第３反射シートを含む第３バックライトアセンブリとをさらに含み、
前記第３反射シートは前記第５光が前記第３反射シートから反射した第６光を前記第３表示パネルに反射し、
前記第３反射シートは少なくとも前記第１及び第２反射シートのうちのいずれか一つと異なる物質を含むことを特徴とする請求項１に記載の表示装置。
【請求項７】
前記第５光は少なくとも前記第１及び第２光のうちのいずれか一つと異なる色座標領域を有し、
前記第３、第４及び第６光は互いに同一の色座標領域を有することを特徴とする請求項６に記載の表示装置。
【請求項８】
前記第１表示パネルは、第１薄膜トランジスタ基板と、前記第１薄膜トランジスタ基板上の第１カラーフィルタ基板とを含み、
前記第２表示パネルは、第２薄膜トランジスタ基板と、前記第２薄膜トランジスタ基板上の第２カラーフィルタ基板とを含み、
前記第３表示パネルは、第３薄膜トランジスタ基板と、前記第３薄膜トランジスタ基板上の第３カラーフィルタ基板とを含み、
前記第１〜第３カラーフィルタ基板は互いに同一の物質のカラーフィルタを含むことを特徴とする請求項６に記載の表示装置。
【請求項９】
前記第１及び第２光源は発光ダイオードを含むことを特徴とする請求項１に記載の表示装置。
【請求項１０】
前記第１バックライトアセンブリは前記第１光を前記第１表示パネルにガイドする第１導光板及び前記第１導光板上の第１光学シートを含み、
前記第２バックライトアセンブリは前記第２光を前記第２表示パネルにガイドする第２導光板及び前記第２導光板上の第２光学シートを含み、
前記第１反射シートと前記第１光学シートとの間に前記第１導光板が配置され、
前記第２反射シートと前記第２光学シートとの間に前記第２導光板が配置されることを特徴とする請求項１に記載の表示装置。
【請求項１１】
互いに隣接した第１及び第２表示パネルと、
第１光を放出する第１光源、及び前記第１表示パネルに前記第１光を反射する第１反射シートを含む第１バックライトアセンブリと、
第２光を放出する第２光源、及び前記第２表示パネルに前記第２光を反射する第２反射シートを含む第２バックライトアセンブリとを含み、
前記第１光の一波長帯域に対する前記第１反射シートの反射率は前記第２光の前記一波長帯域に対する前記第２反射シートの反射率とは異なり、前記一波長帯域を除いた残りの波長帯域において、前記第１反射シートの反射率と前記第２反射シートの反射率は同一であり、前記第１光が前記第１反射シートで反射した第３光と、前記第２光が前記第２反射シートで反射した第４光とは同一の色座標領域を有することを特徴とする表示装置。
【請求項１２】
前記第１光の前記一波長帯域の光の強さは前記第２光の前記一波長帯域の光の強さより弱いことを特徴とする請求項１１に記載の表示装置。
【請求項１３】
前記一波長帯域は可視光線の波長帯域に含まれることを特徴とする請求項１１に記載の表示装置。
【請求項１４】
反射した前記第３光の前記一波長帯域の光の強さは反射した前記第４光の前記一波長帯域の光の強さと同一であることを特徴とする請求項１１に記載の表示装置。
【請求項１５】
ＣＩＥ色座標グラフにおいて、前記第３光と前記第４光の色座標領域のポイントの差の最大値は、ｘ軸に０．００２であり、ｙ軸に０．００２であることを特徴とする請求項１に記載の表示装置。
【発明の詳細な説明】
【技術分野】
【０００１】
本発明は表示装置に関する。
【背景技術】
【０００２】
表示装置の軽量化、薄型化、低電力化によって、表示装置は、テレビ、コンピュータなどに用いられると共に、携帯電話、ＰＤＡなどのような小型電子機器にも広く用いられている。表示装置が多様な電子機器及び産業分野に用いられることによって、高信頼性を有する表示装置がますます求められている。
【０００３】
特に、ゲーム機のような電子機器の発達によって、複数の表示パネルを含む表示装置がますます求められている。複数の表示パネルを含む表示装置の場合、複数の表示パネルに表示される複数のイメージの間に色感の差が発生することがある。このことに鑑み、複数の表示パネルに表示される複数のイメージの間に色感の差を最小化するための多くの研究が進められている。
【発明の概要】
【発明が解決しようとする課題】
【０００４】
本発明の課題は、高信頼性を有する表示装置を提供することにある。
【０００５】
本発明の他の課題は、複数の表示パネルに表示されるイメージの間に色感の差を最小化した表示装置を提供することにある。
【課題を解決するための手段】
【０００６】
前記技術的課題を解決するために、本発明は表示装置を提供する。前記表示装置は、互いに隣接した第１及び第２表示パネルと、第１光を放出する第１光源及び第１光を反射する第１反射シートを含む第１バックライトアセンブリと、第２光を放出する第２光源及び前記第２光を反射し、前記第１反射シートと異なる物質を含む第２反射シートを含む第２バックライトアセンブリとを含み、前記第１反射シートは前記第１光が前記第１反射シートから反射した第３光を前記第１表示パネルに反射し、前記第２反射シートは前記第２光が前記第２反射シートから反射して第４光を前記第２表示パネルに反射することができる。
【０００７】
一実施形態によれば、前記第１光と前記第２光は異なる色座標領域を有してもよい。
【０００８】
一実施形態によれば、前記第３光と前記第４光は同一の色座標領域を有してもよい。
【０００９】
一実施形態によれば、前記第１表示パネルは第１薄膜トランジスタ基板と、前記第１薄膜トランジスタ基板上の第１カラーフィルタ基板とを含み、前記第２表示パネルは第２薄膜トランジスタ基板と、前記第２薄膜トランジスタ基板上の第２カラーフィルタ基板とを含み、前記第１及び第２カラーフィルタ基板は互いに同一の物質のカラーフィルタを含むことができる。
【００１０】
一実施形態によれば、前記第１光の色座標領域及び前記第３光の色座標領域は互いに異なり、前記第２光の色座標領域及び前記第４光の色座標領域は互いに異なってもよい。
【００１１】
一実施形態によれば、前記第１光の色座標領域及び前記第３光の色座標領域は互いに同一であり、前記第２光の色座標領域及び前記第４光の色座標領域は互いに異なってもよい。
【００１２】
一実施形態によれば、前記表示装置は前記第１及び第２表示パネルと隣接した第３表示パネルと、第５光を放出する第３光源及び前記第５光を反射する第３反射シートを含む第３バックライトアセンブリとをさらに含み、前記第３反射シートは前記第５光が前記第３反射シートから反射した第６光を前記第３表示パネルに反射し、前記第３反射シートは少なくとも前記第１及び第２反射シートのうちのいずれか一つと異なる物質を含むことができる。
【００１３】
一実施形態によれば、前記第５光は少なくとも前記第１及び第２光のうちのいずれか一つと異なる色座標領域を有し、前記第３、第４及び第６光は互いに同一の色座標領域を有することができる。
【００１４】
一実施形態によれば、前記第１表示パネルは、第１薄膜トランジスタ基板と、前記第１薄膜トランジスタ基板上の第１カラーフィルタ基板とを含み、前記第２表示パネルは、第２薄膜トランジスタ基板と、前記第２薄膜トランジスタ基板上の第２カラーフィルタ基板とを含み、前記第３表示パネルは、第３薄膜トランジスタ基板と、前記第３薄膜トランジスタ基板上の第３カラーフィルタ基板とを含み、前記第１〜第３カラーフィルタ基板は、互いに同一物質のカラーフィルタを含むことができる。
【００１５】
一実施形態によれば、前記第１及び第２光源は発光ダイオードを含むことができる。
【００１６】
一実施形態によれば、前記第１バックライトアセンブリは、前記第１光を前記第１表示パネルにガイドする第１導光板と、前記第１導光板上の第１光学シーツとを含み、前記第２バックライトアセンブリは、前記第２光を前記第２表示パネルにガイドする第２導光板と、前記第２導光板上の第２光学シートとを含み、前記第１反射シートと前記第１光学シートとの間に前記第１導光板を配置し、前記第２反射シートと前記第２光学シートとの間に前記第２導光板を配置することができる。
【００１７】
前記技術的課題を解決するために、本発明は表示装置を提供する。前記表示装置は、互いに隣接した第１及び第２表示パネルと、第１光を放出する第１光源及び前記第１表示パネルに前記第１光を反射する第１反射シートを含む第１バックライトアセンブリと、第２光を放出する第２光源及び前記第２表示パネルに前記第２光を反射する第２反射シートを含む第２バックライトアセンブリとを含み、前記第１光の一波長帯域に対する第１反射シートの反射率は前記第２光の前記一波長帯域に対する第２反射シートの反射率より高い。
【００１８】
一実施形態によれば、前記第１光の前記一波長帯域の光の強さは前記第２光の前記一波長帯域の光の強さより弱い。
【００１９】
一実施形態によれば、前記一波長帯域は可視光線の波長帯域に含まれる。
【００２０】
一実施形態によれば、前記反射した第１光の前記一波長帯域の光の強さは前記反射した第２光の前記一波長帯域の光の強さと同一である。
【００２１】
一実施形態によれば、前記一波長帯域を除いた残りの波長帯域において、前記第１反射シートの反射率と前記第２反射シートの反射率は同一である。
【発明の効果】
【００２２】
本発明の実施形態に係る表示装置は、第１光を放出する第１光源及び第１表示パネルに前記第１光を反射する第１反射シートを含む第１バックライトアセンブリと、第２光を放出する第２光源及び第２表示パネルに前記第２光を反射し、前記第１反射シートと異なる物質を含む第２反射シートを含む第２バックライトアセンブリとを含む。これによって、前記第１及び第２表示パネルに実質的に同一の色座標を有する光が入力され、第１及び第２表示パネルに表示される映像の色感の差を最小化することができる。
【図面の簡単な説明】
【００２３】
【図１】本発明の一実施形態に係る表示装置を説明するための図である。
【図２ａ】本発明の一実施形態に係る表示装置に含まれた第１及び第２表示装置を説明するための断面図である。
【図２ｂ】本発明の一実施形態に係る表示装置に含まれた第１及び第２表示装置を説明するための断面図である。
【図３ａ】本発明の一実施形態に係る表示装置に含まれた第１及び第２表示パネルに入力される光の色座標を説明するためのグラフである。
【図３ｂ】本発明の一実施形態の変形例に係る表示装置に含まれた第１及び第２表示パネルに入力される光の色座標を説明するためのグラフである。
【図４】本発明の他の実施形態に係る表示装置を説明するための図である。
【図５】本発明の他の実施形態に係る表示装置に含まれた第３表示装置を説明するための断面図である。
【図６】本発明の他の実施形態に係る表示装置に含まれた第１〜第３表示パネルに入力される光の色座標を説明するためのグラフである。
【図７ａ】本発明の実施形態に係る実験例を説明するためのＣＩＥ色座標グラフである。
【図７ｂ】本発明の実施形態に係る実験例を説明するためのＣＩＥ色座標グラフである。
【図７ｃ】本発明の実施形態に係る実験例を説明するためのＣＩＥ色座標グラフである。
【図８】本発明の実施形態に係る表示装置に含まれた第１及び第２表示装置を含む電子装置を説明するための図である。
【図９】本発明の実施形態に係る表示装置に含まれた第１及び第２表示装置を含む電子装置を説明するための図である。
【発明を実施するための形態】
【００２４】
以上の本発明の目的、他の目的、特徴及び利点は添付の図面と係わる以下の望ましい実施形態を通じて容易に理解することができる。しかし、本発明はここで説明する実施形態に限定されず、他の形態への具体化も可能である。さらに、ここで紹介する実施形態は開示された内容が徹底且つ完全になれるように、そして当業者に本発明の思想を十分に伝達するように提供されるものである。
【００２５】
図面において、構成の大きさ及び厚さ等は明確性のために誇張されたものである。また、本明細書の様々な実施形態において、第１、第２、第３などの用語は様々な領域の記述のために使用されているが、それらの領域は、それらの用語に限定されると解釈されてはならない。それらの用語は、１つの領域を他の領域と区別するために用いられるだけである。ここに説明及び例示される実施形態はそれの相補的な実施形態も含む。明細書の全体にかけて同一の参照番号は同一の構成要素を示す。
【００２６】
本発明の一実施形態に係る表示装置を説明する。
【００２７】
図１は、本発明の一実施形態に係る表示装置を説明するための図であり、図２ａ及び図２ｂは本発明の一実施形態に係る表示装置に含まれた第１及び第２表示装置を説明するための断面図である。
【００２８】
図１、図２ａ及び図２ｂを参照すれば、本発明の一実施形態に係る表示装置１０は第１及び第２表示装置１００、２００を含むことができる。前記第１及び第２表示装置１００、２００は各々第１映像及び第２映像を表示することができる。一実施形態によれば、前記第１映像及び第２映像は互いに同一の映像であるか、または互いに異なる映像である。
【００２９】
前記第１表示装置１００は、第１表示パネル１１０、第１モールドフレーム１２０、第１下部及び上部シャシ１３２、１３４、第１バックライトアセンブリ１４０を含むことができる。
【００３０】
前記第１表示パネル１１０は第１下部基板１１２及び第１上部基板１１４を含むことができる。前記第１下部基板１１２は、一方向に延長する複数のゲートライン、前記ゲートラインと交差する複数のデータライン、及び前記ゲートラインと前記データラインとの交差部に形成された薄膜トランジスタを含む薄膜トランジスタ基板とすることができ、前記第１上部基板１１４を複数の第１カラーフィルタ１１４ａを含むカラーフィルタ基板とすることができる。前記第１表示パネル１１０は前記第１上部基板１１４と前記第１下部基板１１２との間に介在された液晶層(図示せず)を含むことができる。
【００３１】
前記第１モールドフレーム１２０は前記第１表示パネル１１０を支持し、前記第１バックライトアセンブリ１４０を囲むことができる。前記第１下部及び上部シャシ１３２、１３４に前記第１モールドフレーム１２０を収納することができる。
【００３２】
前記第１バックライトアセンブリ１４０は、第１反射シート１４１、第１導光板１４２、第１光源１４３、第１光学シート１４４、１４５、１４６を含むことができる。前記第１光源１４３は第１光を放出することができる。前記第１光は前記第１導光板１４２の側面の入光部に供給することができる。前記第１導光板１４２は前記第１反射シート１４１と前記第１光学シート１４４、１４５、１４６との間に配置することができる。一実施形態によれば、前記第１光源１４３は発光ダイオード(ＬＥＤ)を含むことができる。前記第１反射シート１４１は前記第１光を前記第１表示パネル１１０に反射することができる。
【００３３】
前記第１光学シート１４４、１４５、１４６は、第１拡散シート１４４、第１プリズムシート１４５、及び第１保護シート１４６を含むことができる。前記第１拡散シート１４４は前記第１導光板１４２から供給された前記第１光を広く拡散させることができる。これによって、前記第１導光板１４２に供給された前記第１光の輝線及び暗線の発生を最小化することができる。前記第１プリズムシート１４５は前記第１拡散シート１４４によって拡散された前記第１光の直進性を増加させることができる。これによって、前記第１表示パネル１１０に高い輝度の光を供給することができる。前記第１プリズムシート１４５は入射された光を垂直及び水平方向に各々集光させる垂直及び水平プリズムシートを含むことができる。前記第１保護シート１４６は前記第１バックライトアセンブリ１４０の移送の時、スクラッチなどの不良を最小化することができる。
【００３４】
前記第２表示装置２００は、第２表示パネル２１０、第２モールドフレーム２２０、第２下部及び上部シャシ２３２、２３４、第２バックライトアセンブリ２４０を含むことができる。
【００３５】
前記第２表示パネル２１０は第２下部基板２１２及び第２上部基板２１４を含むことができる。前記第２下部基板２１２を薄膜トランジスタ基板とし、前記第２上部基板２１４は複数の第２カラーフィルタ２１４ａを含むカラーフィルタ基板とすることができる。前記第２カラーフィルタ２１４ａは前記第１カラーフィルタ１１４ａと同一の物質で形成することができる。前記第２表示パネル２１０は前記第２上部基板２１４と前記第２下部基板２１２との間に介在された液晶層(図示せず)を含むことができる。
【００３６】
前記第２モールドフレーム２２０は、前記第２表示パネル２１０を支持し、前記第２バックライトアセンブリ２４０を囲むことができる。前記第２下部及び上部シャシ２３２、２３４は前記第２モールドフレーム２２０を収納することができる。
【００３７】
前記第２バックライトアセンブリ２４０は、第２反射シート２４１、第２導光板２４２、第２光源２４３、第２光学シート２４４、２４５、２４６を含むことができる。前記第２光源２４３は前記第１光の色座標領域と異なる色座標領域を有する第２光を放出することができる。前記第２光を前記第２導光板２４２の側面入光部に供給することができる。前記第２導光板２４２は前記第２反射シート２４１と前記第２光学シート２４４、２４５、２４６との間に配置することができる。一実施形態によれば、前記第２光源２４３は発光ダイオード(ＬＥＤ)を含むことができる。前記第２反射シート２４１は前記第２光を前記第２表示パネル２１０に反射することができる。前記第２光学シート２４４、２４５、２４６は、第２拡散シート２４４、第２プリズムシート２４５、第２保護シート２４６を含むことができる。
【００３８】
前記第１反射シート１４１は、第３光を前記第１表示パネル１１０に反射し、前記第２反射シート２４１は第４光を前記第２表示パネル２１０に反射することができる。前記第３光は前記第１光が前記第１反射シート１４１から反射した光であり、前記第４光は前記第２光が前記第２反射シート２４１から反射した光である。
【００３９】
上述のように、前記第１光及び前記第２光は互いに異なる色座標領域を有することができる。これと異なり、前記第１及び第２反射シート１４１、２４１から反射し、前記第１及び第２表示パネル１１０、２１０に入力される第３及び第４光の色座標領域は実質的に互いに同一である。これによって、前記第１表示装置１００に表示される前記第１映像の色感と前記第２表示装置２００に表示される前記第２映像の色感との差を最小化することができる。これについて図３ａを参照して説明する。
【００４０】
図３ａは、本発明の一実施形態に係る表示装置に含まれた第１及び第２表示パネルに入力される光の色座標を説明するためのグラフである。
【００４１】
図２ａ、図２ｂ及び図３ａを参照すれば、一波長帯域において、前記第１光源１４３から放出された前記第１光の強さは前記第２光源２４３から放出された前記第２光の強さより弱いことがある。例えば前記一波長帯域は可視光線波長帯域に含まれる。前記第１及び第２光は互いに異なる色座標領域を有することができる。
【００４２】
前記第１光は第１色座標領域３１２を有することができる。前記第２光は前記第１色座標領域３１２と異なる第２色座標領域３１４を有することができる。一実施形態によれば、可視光線波長帯域の短波長帯域において、前記第１光の強さは前記第２光の強さより弱いことがある。この場合、前記第２光の青色の色感は前記第１光の青色の色感より強いことがある。一実施形態によれば、図３ａはＣＩＥ色座標グラフである。
【００４３】
前記第１反射シート１４１は前記第１光を前記第１表示パネル１１０に反射することができ、前記第２反射シート２４１は前記第２光を前記第２表示パネル２１０に反射することができる。前記第１反射シート１４１及び前記第２反射シート２４１は互いに異なる物質を含むことができる。例えば、前記第１反射シート１４１はポリエチレンナフタレート(ｐｏｌｙｅｔｈｙｌｅｎｅ  ｎａｐｈｔｈａｌａｔｅ)を含むことができ、前記第２反射シート２４１は銀(Ａg)を含むことができる。
【００４４】
前記第１反射シート１４１及び前記第２反射シート２４１の物質の差によって、前記第１光の前記一波長帯域に対する前記第１反射シート１４１の反射率と前記第２光の前記一波長帯域に対する前記第２反射シート２４１の反射率は異なってもよい。一実施形態によれば、前記第１光の前記一波長帯域に対する前記第１反射シート１４１の反射率は、前記第２光の前記一波長帯域に対する前記第２反射シート２４１の反射率より高いことがある。前記可視光線波長帯域のうちで前記一波長帯域を除いた残りの波長帯域において、前記第１反射シート１４１の反射率は前記第２反射シート２４１の反射率と実質的に同一である。
【００４５】
前記第１反射シート１４１及び前記第２反射シート２４１の物質の差によって、前記第１光の前記一波長帯域に対する前記第１反射シート１４１の吸収率と前記第２光の前記一波長帯域に対する第２反射シート２４１の吸収率は異なってもよい。一実施形態によれば、前記第１光の前記一波長帯域に対する前記第１反射シート１４１の吸収率は、前記第２光の前記一波長帯域に対する前記第２反射シート２４１の吸収率より低いことがある。前記可視光線波長帯域のうちで前記一波長帯域を除いた残りの波長帯域において、前記第１反射シート１４１の吸収率は前記第２反射シート２４１の吸収率と実質的に同一である。
【００４６】
前記第１光の前記一波長帯域に対する前記第１反射シート１４１の反射率及び吸収率と前記第２光の前記一波長帯域に対する前記第２反射シート２４１の反射率及び吸収率との差によって、前記第１反射シート１４１から反射して前記第１表示パネル１１０に入力される第３光及び前記第２反射シート２４１から反射して前記第２表示パネル２１０に入力される第４光は実質的に互いに同一の基準色座標領域３１０を有することができる。
【００４７】
本発明の実施形態によれば、前記第１及び第２光源１４３、２４３が互いに異なる色座標を有する光を放出しても、前記第１及び第２反射シート１４１、２４１の物質の差によって、前記第３及び第４光が互いに同一の色座標領域を有することができる。これによって、前記第１表示パネル１１０及び前記第２表示パネル２１０に実質的に同一の色座標を有する光が入射されることが可能である。したがって、前記第１及び第２表示装置１００、２００が同一の物質の第１及び第２カラーフィルタ１１４ａ、２１４ａを含んでも、前記第１表示装置１００及び前記第２表示装置１００に表示される第１及び第２映像の色感の差を最小化することができる。
【００４８】
また、上述のように、本発明の実施形態に係る表示装置に含まれた前記第１及び第２表示装置１００、２００が互いに異なる色座標領域を有する光を放出する前記第１及び第２光源１４３、２４３を含んでも、前記第１及び第２映像の色感の差を最小化することができる。これによって、本発明の実施形態に係る前記第１及び第２表示装置１００、２００は広い範囲の色座標を有する光を放出する光源を用いることができる。これによって、光源の製造単価及び表示装置の製造単価を低減することができる。
【００４９】
上述の実施形態において、前記第３及び第４光は前記第１及び第２光と各々異なる色座標領域を有した。これと異なり、前記第１及び第３光は互いに同一の色座標領域を有し、前記第２及び第４光は互いに異なる色座標領域を有することができる。これについて図３ｂを参照して説明する。
【００５０】
図３ｂは、本発明の一実施例の変形例に係る表示装置に含まれた第１及び第２表示パネルに入力される光の色座標を説明するためのグラフである。
【００５１】
図２ａ、図２ｂ及び図３ｂを参照すれば、図１、図２ａ及び図２ｂを参照して説明した表示装置１０に含まれた第１及び第２表示装置１００、２００が提供される。一波長帯域において、第１光源１４３から放出された前記第１光の強さは第２光源２４３から放出された前記第２光の強さより弱いことがある。前記第１及び第２光は互いに異なる色座標領域を有することができる。前記第１光は第１色座標領域３２０を有することができる。前記第２光は前記第１色座標領域３２０と異なる第２色座標領域３２２を有することができる。
【００５２】
前記第１及び第２反射シート１４１、２４１の物質の差によって、波長帯域による、前記第１反射シート１４１の反射率及び吸収率と前記第２反射シート２４１の反射率及び吸収率は異なることがある。
【００５３】
波長帯域によって、前記第１光に対する前記第１反射シート１４１の反射率及び吸収率は実質的に同一である。これによって、前記反射した第１光及び前記第１光は互いに同一の色座標領域を有することができる。前記第１表示パネル１１０に入力される第３光は前記第１色座標領域３２０を有することができる。前記第３光は前記第１光が前記第１反射シート１４１から反射した光である。
【００５４】
波長帯域によって、前記第２光に対する前記第２反射シート２４１の反射率は異なることがある。例えば、前記第２光の前記一波長帯域に対する前記第２反射シート２４１の反射率は、前記第２光の残りの波長帯域に対する前記第２反射シート２４１の反射率より低いことがある。前記残りの波長帯域は可視光線波長帯域のうちで前記一波長帯域を除いた波長帯域である。前記第２光の前記一波長帯域に対する前記第２反射シート２４１の吸収率は、前記第２光の前記残りの波長帯域に対する前記第２反射シート２４１の吸収率より高いことがある。これによって、前記第２表示パネル２１０に入力される第４光は前記第２光と異なる色座標領域を有することができる。前記第４光は前記第２光が前記第２反射シート２４１から反射した光である。前記第４光は前記第１色座標領域３２０と実質的に同一の色座標領域を有することができる。したがって、前記第１及び第２光源１４３、２４３が互いに異なる色座標領域を有する光を放出しても、前記第１及び第２表示パネル１１０、２１０に実質的に同一の色座標領域を有する光が入力されることが可能である。
【００５５】
上述の実施形態において、表示装置は第１及び第２表示装置を含んでいた。これと異なり、表示装置は第３表示装置をさらに含むことができる。これについて図４、図５を参照して説明する。
【００５６】
図４は、本発明の他の実施形態に係る表示装置を説明するための図であり、図５は、本発明の他の実施形態に係る表示装置に含まれた第３表示パネルを説明するための断面図である。
【００５７】
図４及び図５を参照すれば、本発明の他の実施形態に係る表示装置１２は図１、図２ａ、及び図２ｂを参照して説明した第１表示装置１００及び第２表示装置２００を含むことができる。前記表示装置１２は第３表示装置３００をさらに含むことができる。前記第３表示装置３００は第３表示パネル３１０、第３モールドフレーム３２０、第３下部及び上部シャシ３３２、３３４、第３バックライトアセンブリ３４０を含むことができる。
【００５８】
前記第３表示パネル３１０は第３下部基板３１２及び第３上部基板３１４を含むことができる。前記第３下部基板３１２を薄膜トランジスタ基板とし、前記第３上部基板３１４は複数の第３カラーフィルタ３１４ａを含むカラーフィルタ基板とすることができる。前記第３カラーフィルタ３１４ａは第１及び第２カラーフィルタ１１４ａ、２１４ａと同一の物質で形成することができる。前記第３表示パネル３１０は前記第３上部基板３１４と前記第３下部基板３１２との間に介在された液晶層(図示せず)を含むことができる。
【００５９】
前記第３モールドフレーム３２０は、前記第３表示パネル３１０を支持し、前記第３バックライトアセンブリ３４０を囲むことができる。前記第３下部及び上部シャシ３３２、３３４は前記第３モールドフレーム３２０を収納することができる。
【００６０】
前記第３バックライトアセンブリ３４０は、第３反射シート３４１、第３導光板３４２、第３光源３４３、第３光学シート３４４、３４５、３４６を含むことができる。前記第３光源３４３は第５光を放出することができる。前記第５光は、図２ａ及び図２ｂを参照して説明した第１及び第２光源の色座標領域と異なる色座標領域を有することができる。
【００６１】
前記第５光は前記第３導光板３４２の側面入光部に供給することができる。前記第３導光板３４２は前記第３反射シート３４１と前記第３光学シート３４４、３４５、３４６との間に配置することができる。一実施形態によれば、前記第３光源３４３は発光ダイオード(ＬＥＤ)を含むことができる。前記第３反射シート３４１は前記第５光を前記第３表示パネル３１０に反射することができる。前記第５光が前記第３反射シート３４１から反射した第６光が前記第３表示パネル３１０に入力される。前記第３光学シート３４４、３４５、３４６は第３拡散シート３４４、第３プリズムシート３４５、第３保護シート３４６を含むことができる。
【００６２】
上述のように、前記第１、第２、及び第５光は互いに異なる色座標領域を有することができる。これと異なり、前記第１〜第３反射シート１４１、２４１、３４１から反射して、前記第１〜第３表示パネル１１０、２１０、３１０に各々入力される第３、第４、及び第６光の色座標領域は実質的に同一である。これによって、前記第１〜第３表示装置１００、２００、３００に各々表示される第１〜第３映像の色感の差を最小化することができる。これについて図６を参照して説明する。
【００６３】
図６は、本発明の他の実施形態に係る表示装置に含まれた第１〜第３表示パネルに入力される光の色座標を説明するためのグラフである。
【００６４】
図２ａ、図２ｂ、図５、及び図６を参照すれば、一波長帯域において、前記第１光源１４３から放出された前記第１光の強さは前記第２光源２４３から放出された前記第２光の強さより弱いことがある。前記一波長帯域において、前記第２光源２４３から放出された前記第２光の強さは前記第３光源３４３から放出された前記第５光の強さより弱いことがある。これによって、前記第１、第２、及び第５光は互いに異なる色座標領域を有することができる。
【００６５】
前記第１光は第１色座標領域３４２を有することができる。前記第２光は前記第１色座標領域３４２と異なる第２色座標領域３４４を有することができる。前記第５光は前記第１及び第２色座標領域３４２、３４４と異なる第３色座標領域３４６を有することができる。
【００６６】
前記第１反射シート１４１から前記第１光が反射した第３光が前記第１表示パネル１１０に入力され、前記第２反射シート２４１から前記第２光が反射した第４光が前記第２表示パネル２１０に入力され、前記第３反射シート３４１から前記第５光が反射した第６光が前記第３表示パネル３１０に入力される。前記第１〜第３反射シート１４１、２４１、３４１は互いに異なる物質を含むことができる。
【００６７】
前記第１〜第３反射シート１４１、２４１、３４１の物質の差によって、前記第１、第２、及び第５光の前記一波長帯域に対する前記第１〜第３反射シート１４１、２４１、３４１の反射率は互いに異なってもよい。一実施形態によれば、前記第１光の前記一波長帯域に対する前記第１反射シート１４１の反射率は前記第２光の前記一波長帯域に対する前記第２反射シート２４１の反射率より高いことがある。前記第２光の前記一波長帯域に対する前記第２反射シート２４１の反射率は前記第５光の前記一波長帯域に対する反射率より高いことがある。前記可視光線波長帯域のうちで前記一波長帯域を除いた残りの波長帯域において、前記第１〜第３反射シート１４１、２４１、３４１の反射率は実質的に互いに同一である。
【００６８】
前記第１〜第３反射シート１４１、２４１、３４１の物質の差によって、前記第１、第２、及び第５光の前記一波長帯域に対する前記第１〜第３反射シート１４１、２４１、３４１の吸収率は異なってもよい。一実施形態によれば、前記第１光の前記一波長帯域に対する前記第１反射シート１４１の吸収率は前記第２光の前記一波長帯域に対する前記第２反射シート２４１の吸収率より低いことがある。前記第２光の前記一波長帯域に対する前記第２反射シート２４１の吸収率は前記第５光の前記一波長帯域に対する前記第３反射シート３４１の吸収率より低いことがある。前記可視光線波長帯域のうちで前記一波長帯域を除いた残りの波長帯域において、前記第１〜第３反射シート１４１、２４１、３４１の吸収率は実質的に互いに同一である。
【００６９】
前記第１〜第３光の前記一波長帯域に対する前記第１〜第３反射シート１４１、２４１、３４１の反射率及び吸収率の差によって、前記第１〜第３反射シート１４１、２４１、３４１から反射して、前記第１〜第３表示パネル１１０、２１０、３１０に入力される第３、第４、及び第６光は実質的に互いに同一の基準色座標領域３４０を有することができる。
【００７０】
これによって、前記第１〜第３光源１４３、２４３、３４３が互いに異なる色座標を有する光を放出しても、前記第１〜第３表示パネル１１０、２１０、３１０に実質的に同一の色座標領域を有する光が入射されることが可能である。これによって、前記第１〜第３表示装置１００、２００、３００に表示される第１〜第３映像の色感の差を最小化することができる。
【００７１】
本発明の実施形態に係る実験例を説明する。
【００７２】
図７ａ〜図７ｃは、本発明の実施形態に係る実験例を説明するためのＣＩＥ色座標グラフとして、図７ａは、本発明の実施形態に係る表示装置に含まれた第１表示装置の第１光源から放出された第１光の色座標領域、及び前記第１光が第１反射シートから反射した第３光の色座標領域を示す。図７ｂは、本発明の実施形態に係る表示装置に含まれた第２表示装置の第２光源から放出された第２光の色座標領域及び前記第２光が第２反射シートから反射した第４光の色座標領域を示す。図７ｃは、反射した第３及び第４光の色座標領域を示す。
【００７３】
図７ａを参照すれば、本発明の実施形態に係る表示装置に含まれた第１表示装置の第１光源は第１色座標領域３５２を有する第１光を放出する。前記第１表示装置はポリエチレンナフタレート(ｐｏｌｙｅｔｈｙｌｅｎｅ  ｎａｐｈｔｈａｌａｔｅ)を含む第１反射シートを含む。前記第１光が前記第１反射シートから反射した第３光は前記第１光源から放出された第１光の色座標領域３５２と異なる第３色座標領域３５４を有する。前記第３色座標領域３５４の第１ポイント３５４ａは(０．３０１、０．３１７)に位置し、第２ポイント３５４ｂは(０．３１１、０．３１９)に位置し、第３ポイント３５４ｃは(０．３１９、０．３３３)に位置し、第４ポイント３５４ｄは(０．３０６、０．３３４)に位置する。
【００７４】
図７ｂを参照すれば、本発明の実施形態に係る表示装置に含まれた第２表示装置の第２光源は前記第１色座標領域３５２と異なる第２色座標領域３６２を有する第２光を放出する。前記第２表示装置は銀(Ａg)を含む第２反射シートを含む。前記第２光が前記第２反射シートから反射した第４光は前記第２光源から放出された第２光の前記第２色座標領域３５２と異なる第４色座標領域３６４を有する。前記第４色座標領域３６４の第１ポイント３６４ａは(０．３００、０．３１９)に位置し、第２ポイント３６４ｂは(０．３１０、０．３２１)に位置し、第３ポイント３６４ｃは(０．３２０、０．３３１)に位置し、第４ポイント３６４ｄは(０.３０８、０．３３２)に位置する。
【００７５】
図７ｃを参照すれば、前記第２色座標領域３５４のポイント及びこれに対応する前記第４色座標領域３６４のポイントの差の最大値は、ｘ軸に０．００２であり、ｙ軸に０．００２である。前記第２色座標領域３５４及び前記第４色座標領域３６４は実質的に互いに同一である。
【００７６】
本発明の実施形態に係る表示装置を含む電子装置を図８及び図９を参照して説明する。
【００７７】
図８及び図９は、本発明の実施形態に係る表示装置に含まれた第１及び第２表示装置を含む電子装置を説明するための図である。
【００７８】
図８を参照すれば、電子装置４００は、第１表示装置４１０、第２表示装置４２０、操作部４３０を含むことができる。前記電子装置４００は例えばゲーム機である。前記第１及び第２表示装置４１０、４２０は上述の本発明の実施形態に係る表示装置に含まれた第１及び第２表示装置である。例えば、前記第１及び第２表示装置４１０、４２０は互いに異なる色座標領域を有する光を放出する光源及び互いに異なる物質の反射シートを含むことができる。これによって、前記第１及び第２表示装置４１０、４２０に表示される映像の色感の差を最小化することができる。前記第１及び第２表示装置４１０、４２０のうちの少なくともいずれか一つはタッチスクリーンパネルを含むことができる。
【００７９】
図９を参照すれば、電子装置５００は第１表示装置５１０、５２０を含むことができる。前記電子装置５００は例えば携帯端末機である。前記第１及び第２表示装置５１０、５２０は上述の本発明の実施形態に係る表示装置に含まれた第１及び第２表示装置である。例えば、前記第１及び第２表示装置５１０、５２０は互いに異なる色座標領域を有する光を放出する光源及び互いに異なる物質の反射シートを含むことができる。これによって、前記第１及び第２表示装置５１０、５２０に表示される映像の色感の差を最小化することができる。前記第１及び第２表示装置４１０、４２０のうちの少なくともいずれか一つはタッチスクリーンパネルを含むことができる。一実施形態によれば、前記タッチスクリーンパネルを含む表示装置は操作部(例えば、キーパッド)を表示することができる。
【００８０】
以上、添付の図面を参照して本発明の実施形態を説明したが、本発明はその技術的思想や必須な特徴を変更せず、他の具体的な形態に実施することも可能である。したがって、上述の実施形態にはすべての面において例示的であり、限定的ではないと理解しなければならない。
【符号の説明】
【００８１】
１００、２００  第１及び第２表示装置
１１０、２１０  第１及び第２表示パネル
１４０、２４０  第１及び第２バックライトアセンブリ
１４１、２４１  第１及び第２反射シート
１４３、２４３  第１及び第２光源
【図１】
0005934475.tif 000002
【図２ａ】
0005934475.tif 000003
【図２ｂ】
0005934475.tif 000004
【図３ａ】
0005934475.tif 000005
【図３ｂ】
0005934475.tif 000006
【図４】
0005934475.tif 000007
【図５】
0005934475.tif 000008
【図６】
0005934475.tif 000009
【図７ａ】
0005934475.tif 000010
【図７ｂ】
0005934475.tif 000011
【図７ｃ】
0005934475.tif 000012
【図８】
0005934475.tif 000013
【図９】
0005934475.tif 000014